(57)【要約】【課題】加湿ファンの回転による音の利用者への影響を低減することができる空気調和装置を提供する。【解決手段】空気調和装置１は、室内ファン２３と、給気・加湿ユニット６と、受信部２２と、制御部８とを備える。室内ファン２３は、室内に調和空気を供給する。給気・加湿ユニット６は、加湿空気の空気流を生成する加湿ファン６３を含む。受信部２２は、通常加湿モード及びパワフル加湿モードの設定を受け付けることができる。通常加湿モードは、給気・加湿ユニット６が室内の目標湿度に基づいて加湿動作を行うかまたは連続して加湿動作を行うモードである。パワフル加湿モードは、給気・加湿ユニット６の加湿能力を通常加湿モードに比して向上させるモードである。制御部８は、パワフル加湿モードが設定された場合、通常加湿モード時よりも多い調和空気及び加湿空気が室内に供給されるように、室内ファン２３及び加湿ファン６３の駆動制御を行う。【選択図】図８
2010007999.tif 000002
【特許請求の範囲】
【請求項１】
室内に調和空気を供給する室内ファン（２３）と、
前記室内に加湿空気が供給されるように前記加湿空気の空気流を生成する加湿ファン（６３）、を含む加湿部（６）と、
前記加湿部（６）が前記室内の目標湿度に基づいて加湿動作を行うかまたは前記目標湿度に関係なく連続して加湿動作を行う通常加湿モード、及び前記加湿部（６）の加湿能力を前記通常加湿モードに比して向上させるパワフル加湿モード、のいずれかの設定を受け付け可能な設定受付部（２２）と、
前記設定受付部（２２）が前記パワフル加湿モードの設定を受け付けた場合、前記通常加湿モード時よりも多い前記調和空気及び前記加湿空気が前記室内に供給されるように、前記室内ファン（２３）及び前記加湿ファン（６３）の駆動制御を行う制御部（８）と、
を備える、空気調和装置（１）。
【請求項２】
前記制御部（８）は、
前記設定受付部（２２）が前記通常加湿モードの設定を受け付けた場合、前記室内ファン（２３）を第１室内側回転数で回転させると共に、前記加湿ファン（６３）を第１加湿側回転数で回転させ、
前記設定受付部（２２）が前記パワフル加湿モードの設定を受け付けた場合、前記室内ファン（２３）を前記第１室内側回転数に第１所定回転数を加えた回転数である第２室内側回転数で回転させると共に、前記加湿ファン（６３）を前記第１加湿側回転数に第２所定回転数を加えた回転数である第２加湿側回転数で回転させる、
請求項１に記載の空気調和装置（１）。
【請求項３】
前記第２所定回転数は、前記室内ファン（２３）のファンタップに基づいてその値が決定されている、
請求項２に記載の空気調和装置（１）。
【請求項４】
前記第１所定回転数は、前記パワフル加湿モードが設定される前に設定されていた前記通常加湿モードでの前記第１室内側回転数の値に関係なく、常に一定値である、
請求項２または３に記載の空気調和装置（１）。
【請求項５】
前記制御部（８）は、前記設定受付部（２２）が前記パワフル加湿モードの設定を受け付けた場合、前記室内ファン（２３）が前記第２室内側回転数で回転するように前記室内ファン（２３）を駆動制御した後、前記加湿ファン（６３）が前記第２加湿側回転数で回転するように前記加湿ファン（６３）の駆動制御を行う、
請求項２〜４のいずれかに記載の空気調和装置（１）。
【請求項６】
前記室内の天井に設置され、前記室内ファン（２３）を収納する室内機ケーシング（２１）と、
前記室内機ケーシング（２１）に収納され、前記室内ファン（２３）によって前記室内に供給される前の空気と熱交換を行う熱交換器（２４）と、
を更に備え、
前記室内機ケーシング（２１）の下面（２１ａ）には、前記室内の空気が吸い込まれる吸込空間（ＳＰ）を露出する開口（２１ｂ）が形成されており、
前記吸込空間（ＳＰ）には、前記加湿空気が送られる、
請求項１〜５のいずれかに記載の空気調和装置（１）。
【請求項７】
前記加湿部（６）は、室外に設置された室外機（３）に設けられており、
前記室外機（３）及び前記室内機ケーシング（２１）は、加湿ホース（７ｃ）によって連結されている、
請求項６に記載の空気調和装置（１）。
【発明の詳細な説明】
【技術分野】
【０００１】
本発明は、空気調和装置に関する。
【背景技術】
【０００２】
空気調和装置には、特許文献１に開示されているように、室内の壁面や天井に設置された室内機と、室外機に設置された室外空調ユニット及び加湿ユニットとを備えるものがある。この空気調和装置では、室内機と室外機における加湿ユニットとが加湿ホースを介して接続されており、加湿ユニットからの加湿空気は、加湿ホースを介して室内に供給される。
【特許文献１】特開２００８−１２１９７３号公報
【発明の開示】
【発明が解決しようとする課題】
【０００３】
ところで、上述したような空気調和装置では、加湿ホースの長さが長くなる程圧力損失が生じやすくなり、所望の加湿空気量を得ることが困難となってしまう。所望の加湿空気量を得るためには、加湿ユニットが有する加湿ファンの回転数を上げることで、室内に供給される加湿空気の量を増やす手法が考えられる。しかしながら、加湿ファンの回転数が上昇すると、加湿ファンの回転により生じる音が大きくなり、場合によっては、加湿ファンの音が加湿ホースを介して室内機にまで伝達し、空気調和装置の利用者にとって耳障りとなってしまう恐れがある。
【０００４】
そこで、本発明は、加湿ファンの回転による音の利用者への影響を抑え、快適な空調空間を利用者に提供することができる空気調和装置を提供することを目的とする。
【課題を解決するための手段】
【０００５】
発明１に係る空気調和装置は、室内ファンと、加湿部と、設定受付部と、制御部とを備える。室内ファンは、室内に調和空気を供給する。加湿部は、加湿ファンを含む。加湿ファンは、室内に加湿空気が供給されるように、加湿空気の空気流を生成する。設定受付部は、通常加湿モード及びパワフル加湿モードのいずれかの設定を受け付けることができる。通常加湿モードは、加湿部が室内の目標湿度に基づいて加湿動作を行うか、または目標湿度に関係なく連続して加湿動作を行うためのモードである。パワフル加湿モードは、加湿部の加湿能力を通常加湿モードに比して向上させるためのモードである。制御部は、設定受付部がパワフル加湿モードの設定を受け付けた場合、通常加湿モード時よりも多い調和空気及び加湿空気が室内に供給されるように、室内ファン及び加湿ファンの駆動制御を行う。
【０００６】
この空気調和装置によると、パワフル加湿モード時、室内ファンにより室内に供給される調和空気の量及び加湿ファンにより室内に供給される加湿空気の量は、共に通常加湿モード時に比して多くなる。つまり、この空気調和装置によると、パワフル加湿モード時には、加湿空気だけではなく調和空気の量も多くなるため、加湿ファンだけではなく室内ファンの回転数も高くなる。従って、加湿ファンの回転により発生した音を室内ファンの回転により発生した音の中に紛れ込ませることができ、快適な空調空間を、空気調和装置の利用者に提供することができる。
【０００７】
発明２に係る空気調和装置は、発明１に係る空気調和装置であって、制御部は、設定受付部が通常加湿モードの設定を受け付けた場合、室内ファンを第１室内側回転数で回転させると共に、加湿ファンを第１加湿側回転数で回転させる。また、制御部は、設定受付部がパワフル加湿モードの設定を受け付けた場合、室内ファンを第２室内側回転数で回転させると共に、加湿ファンを第２加湿側回転数で回転させる。第２室内側回転数は、第１室内側回転数に第１所定回転数を加えた回転数である。第２加湿側回転数は、第１加湿側回転数に第２所定回転数を加えた回転数である。
【０００８】
この空気調和装置によると、パワフル加湿モード時には、室内ファン及び加湿ファンの回転数が共に通常加湿モード時に比して所定回転数高くなるため、加湿ファンの回転により発生した音を、室内ファンの回転により発生した音でマスクすることができる。
【０００９】
発明３に係る空気調和装置は、発明２に係る空気調和装置であって、第２所定回転数は、室内ファンのファンタップに基づいてその値が決定されている。
【００１０】
この空気調和装置によると、パワフル加湿モードとなれば、加湿ファンの回転数は、パワフル加湿モード設定前に通常加湿モードが設定されていた時の第１加湿側回転数の値から、室内ファンのファンタップに基づいて決定された値だけ高くなる。
【００１１】
発明４に係る空気調和装置は、発明２または３に係る空気調和装置であって、第１所定回転数は、パワフル加湿モードが設定される前に設定されていた通常加湿モードでの第１室内側回転数の値に関係なく、常に一定値である。
【００１２】
この空気調和装置によると、パワフル加湿モード時に室内ファンの回転数に足される第１所定回転数の値は、パワフル加湿モード設定前に通常加湿モードが設定されていた時の第１室内側回転数の値に関係なく、常に一定である。そのため、通常加湿モード時に、室内ファンがどのような回転数で回転していたとしても、パワフル加湿モードが設定されれば、室内ファンの回転数は常に一定値だけ高くなる。
【００１３】
発明５に係る空気調和装置は、発明２〜４のいずれかに係る空気調和装置であって、制御部は、設定受付部がパワフル加湿モードの設定を受け付けた場合、室内ファンが第２室内側回転数で回転するように室内ファンを駆動制御した後、加湿ファンが第２加湿側回転数で回転するように、加湿ファンの駆動制御を行う。
【００１４】
この空気調和装置によると、パワフル加湿モードが設定された場合、室内ファンの回転数が上げられた後に、加湿ファンの回転数が上げられる。従って、加湿ファンの回転により発生した音を、より確実に室内ファンの回転による音でマスクすることができる。
【００１５】
発明６に係る空気調和装置は、発明１〜５のいずれかに係る空気調和装置であって、室内機ケーシングと熱交換器とを更に備える。室内機ケーシングは、室内の天井に設置され、室内ファンを収納する。熱交換器は、室内機ケーシングに収納され、室内ファンによって室内に供給される前の空気と熱交換を行う。室内機ケーシングの下面には、室内の空気が吸い込まれる吸込空間を露出する開口が形成されている。そして、吸込空間には、加湿空気が送られる。
【００１６】
一般的に、吸込空間が室内機ケーシングの下向きに開口しているような天井設置型の空気調和装置では、加湿ファンの回転により発生した音が、開口を介して室内機の下方に聞こえやすい。しかし、本発明に係る空気調和装置では、加湿ファンの回転により発生する音は、室内ファンの回転により発生する音でマスクされるため、天井設置型の空気調和装置であっても、加湿ファンの回転により発生する音が聞こえやすくなるのを抑えることができる。
【００１７】
発明７に係る空気調和装置は、発明６に係る空気調和装置であって、加湿部は、室外に設置された室外機に設けられている。そして、室外機及び室内機ケーシングは、加湿ホースによって連結されている。
【００１８】
加湿部が室外に設けられていると、天井に設置された室内機ケーシングと加湿部とを繋ぐ加湿ホースは、比較的長く設けられる傾向にある。加湿ホースの長さが長い程、加湿部における加湿ファンは、加湿空気を室内機ケーシングへと送る際には高い回転数で回転しなければならなくなり、その分加湿ファンの回転により発生する音も大きくなってしまう。しかし、この空気調和装置によると、加湿ファンが高い回転数で回転しても、室内ファンの回転数も上がるため、加湿ファンの回転により発生する音は室内ファンの回転により発生する音でマスクされる。従って、加湿ファンの回転により発生する音を、より確実に聞こえにくくすることができる。
【発明の効果】
【００１９】
発明１に係る空気調和装置によると、加湿ファンの回転により発生した音を室内ファンの回転により発生した音の中に紛れ込ませることができ、快適な空調空間を、空気調和装置の利用者に提供することができる。
【００２０】
発明２に係る空気調和装置によると、パワフル加湿モード時には、室内ファン及び加湿ファンの回転数が共に通常加湿モード時に比して所定回転数高くなるため、加湿ファンの回転により発生した音を、室内ファンの回転により発生した音でマスクすることができる。
【００２１】
発明３に係る空気調和装置によると、パワフル加湿モードとなれば、加湿ファンの回転数は、パワフル加湿モード設定前に通常加湿モードが設定されていた時の第１加湿側回転数の値から、室内ファンのファンタップに基づいて決定された値だけ高くなる。
【００２２】
発明４に係る空気調和装置によると、通常加湿モード時に、室内ファンがどのような回転数で回転していたとしても、パワフル加湿モードが設定されれば、室内ファンの回転数は常に一定値だけ高くなる。
【００２３】
発明５に係る空気調和装置によると、加湿ファンの回転により発生した音を、より確実に室内ファンの回転による音でマスクすることができる。
【００２４】
発明６に係る空気調和装置によると、加湿ファンの回転により発生する音は、室内ファンの回転により発生する音でマスクされるため、天井設置型の空気調和装置であっても、加湿ファンの回転により発生する音が聞こえやすくなるのを抑えることができる。
【００２５】
発明７に係る空気調和装置によると、加湿ファンが高い回転数で回転しても、室内ファンの回転数も上がるため、加湿ファンの回転により発生する音は室内ファンの回転により発生する音でマスクされる。従って、加湿ファンの回転により発生する音を、より確実に聞こえにくくすることができる。
【発明を実施するための最良の形態】
【００２６】
以下、本発明の空気調和装置について、図面を参照しつつ詳細に説明する。
【００２７】
（１）構成
図１は、本実施形態に係る空気調和装置１の外観図である。空気調和装置１は、室内の天井に埋め込まれるようにして設置された天井埋め込み型の室内機２と、建物外や建物の屋上等の室外に設置されている室外機３と、室内機２を遠隔操作するためのリモートコントローラ４と、室内機２及び室外機３における各種機器を制御するための制御部８（図４参照）とを備えている。更に、室外機３は、冷暖房運転を行う際に用いられる室外熱交換器５４（図３）等を有する室外空調ユニット５と、外部から吸い込んだ空気をそのままの状態又は加湿して室内に供給する給気・加湿ユニット６（加湿部に相当）とを有している。そして、室内機２及び室外機３の各熱交換器２４，５４等は、冷媒配管７ａ，７ｂで接続されており、これによって図３に示されるような冷媒回路１０が構成されている。更に、室外機３における給気・加湿ユニット６と室内機２における室内機ケーシング２１とは、給気加湿ホース７ｃによって連結されている。
【００２８】
このような空気調和装置１は、室内の冷暖房運転、給気換気運転及び加湿運転を行うことができる。特に、本実施形態に係る空気調和装置１は、加湿運転時には、通常加湿モード及びパワフル加湿モードで運転を行うことができる。「通常加湿モード」とは、給気・加湿ユニット６が室内の目標湿度に基づいて加湿動作を行うか、または給気・加湿ユニット６が目標湿度に関係なく連続して加湿動作を行う（以下、連続加湿動作と言う）ためのモードである。「パワフル加湿モード」とは、給気・加湿ユニット６の加湿能力を通常加湿モードに比して向上させるためのモードである。つまり、「パワフル加湿モード」では、給気・加湿ユニット６は、通常加湿モード時よりも多い加湿空気を、室内に供給することができる。更に、本実施形態に係る「パワフル加湿モード」では、通常加湿モード時よりも多い加湿空気が室内に送られるだけではなく、通常加湿モード時よりも多い調和空気が室内に送られるようになる。
【００２９】
（１−１）室内機
次に、室内機２の構成について説明する。室内機２は、図１〜図４に示すように、主として、室内機ケーシング２１、受信部２２（設定受付部に相当）、室内ファン２３及び室内熱交換器２４を有している。
【００３０】
室内機ケーシング２１は、天井に埋め込まれるようにして設置されている。室内機ケーシング２１は、図１のＷ方向に長い箱状の形状を有しており、室内機ケーシング２１の下面２１ａには、吸込開口２１ｂ（開口に相当）と吹出開口２１ｃとが、１つずつ形成されている。吸込開口２１ｂは、室内の空気が吸い込まれるための開口であって、吹出開口２１ｃは、吸込開口２１ｂから吸い込まれ室内熱交換器２４により熱交換された後の空気が室内へ吹き出されるための開口である。特に、吸込開口２１ｂの上方には、図２に示すように、空気が吸い込まれる吸込空間ＳＰが設けられており、吸込開口２１ｂは、該吸込空間ＳＰを露出している。この吸込空間ＳＰには、給気加湿ホース７ｃが接続されており、吸込開口２１ｂから吸い込まれた室内の空気の他に、給気・加湿ユニット６からの加湿空気及び給気空気が送られてくるようになっている。
【００３１】
また、吸込開口２１ｂ及び吹出開口２１ｃは、図１に示すように、室内機ケーシング２１の長手方向（即ち、Ｗ方向）に沿って細長い略矩形状の形状を有している。そして、吸込開口２１ｂの面積は、吹出開口２１ｃの面積よりも大きい。また、このような室内機ケーシング２１の内部には、図２に示すように、室内ファン２３、室内熱交換器２４、後述するフィルタ２５等が収納されている。
【００３２】
受信部２２は、図１に示すように、室内機ケーシング２１の下面２１ａであってかつ吹出開口２１ｃ付近に設けられている。受信部２２は、リモートコンローラ４から送られてくる空気調和装置１の運転指示や、空気調和装置１に関する各種設定情報を受信することができる。空気調和装置１の運転指示としては、冷暖房運転や加湿運転のオン及びオフの指示等が挙げられる。空気調和装置１に関する各種設定情報としては、目標温度の設定情報等が挙げられる。特に、本実施形態に係る受信部２２は、通常加湿モード及びパワフル加湿モードのいずれかの設定に関する情報（以下、加湿関連情報と言う）を、リモートコントローラ４から受信することができる。具体的に、加湿関連情報としては、目標湿度の値、連続加湿である旨の情報、パワフル加湿である旨の情報が挙げられる。
【００３３】
室内ファン２３は、室内に調和空気を供給するためのものであって、吸込開口２１ｂから吹出開口２１ｃへの空気の流れを生成する。室内ファン２３の回転軸は、ファンモータ２３ａ（図３）の出力軸と接続されており、室内ファン２３は、ファンモータ２３ａにより回転駆動される。また、本実施形態に係る室内ファン２３は、設定された目標湿度やモードに応じた回転数で回転駆動するが、これについては「（１−５）制御部」で詳述する。
【００３４】
室内熱交換器２４は、図２に示すように、室内ファン２３に対し、室内ファン２３により生成される空気流（具体的には、吸込開口２１ｂから吹出開口２１ｃへ流れる空気流）の上流側に位置している。室内熱交換器２４は、冷媒回路１０内を流れる冷媒を蒸発または凝縮させて吸込空間ＳＰから流れてきた空気を冷却または加熱させるための機器である。つまり、室内熱交換器２４は、室内ファン２３によって室内に供給される前の空気と熱交換を行う。
【００３５】
また、室内機２は、図２及び図４に示すように、フィルタ２５、フラットパネル２６、水平フラップ２７、室内温度サーミスタ２８ａ及び室内湿度センサ２８ｂを有している。フィルタ２５は、吸込開口２１ｂの上方に位置しており、吸込開口２１ｂを通過した空気中の塵埃を捕集する。フラットパネル２６は、吸込開口２１ｂを開閉可能なように、吸込開口２１ｂ付近に設けられている。水平フラップ２７は、吹出開口２１ｃを開閉可能なように、吹出開口２１ｃ付近に設けられている。室内温度サーミスタ２８ａは、室内の温度を検知し、室内湿度センサ２８ｂは、室内の湿度を検知する。
【００３６】
（１−２）室外空調ユニット
室外空調ユニット５は、図３及び図４に示すように、主として、圧縮機５１、四路切換弁５２、室外熱交換器５４、電動弁５５、液側閉鎖弁５６、ガス側閉鎖弁５７及び室外ファン５８を有している。
【００３７】
圧縮機５１は、冷媒回路１０内を流れる冷媒（具体的には、ガス冷媒）を吸入して圧縮するための機器であって、図示しない圧縮機用モータにより駆動される。四路切換弁５２は、冷房運転と暖房運転との切り換え時に、冷媒回路１０内における冷媒の流れの方向を切り換えるための弁である。この四路切換弁５２は、冷房運転時には、圧縮機５１の吐出側と室外熱交換器５４（具体的には、室外熱交換器５４のガス側）とを接続すると共に、圧縮機５１の吸入側とガス側閉鎖弁５７とを、アキュムレータ５３を介して接続する（図３の実線）。また、暖房運転時には、四路切換弁５２は、圧縮機５１の吐出側とガス側閉鎖弁５７とを接続すると共に、圧縮機５１の吸入側と室外熱交換器５４（具体的には、室外熱交換器５４のガス側）とを、アキュムレータ５３を介して接続する（図３の点線）。室外熱交換器５４は、冷媒回路１０内を流れる冷媒を蒸発または凝縮させるための機器である。
【００３８】
電動弁５５は、冷媒圧力や冷媒流量の調節を行うための弁であって、室外熱交換器５４の液側と液側閉鎖弁５６との間に接続されている。液側閉鎖弁５６は、冷媒配管７ａを介して室内熱交換器２４の一端部と接続されており、ガス側閉鎖弁５７は、冷媒配管７ｂを介して室内熱交換器２４の他端部に接続されている。室外ファン５８は、室外熱交換器５４において熱交換された後の空気が室外に放出されるように、空気流を生成する。室外ファン５８の回転軸は、室外ファンモータ５８ａの出力軸と接続されており、室内ファン５８は、室外ファンモータ５８ａにより回転駆動される。
【００３９】
また、室外空調ユニット５は、室外温度サーミスタ５９ａ及び室外湿度センサ５９ｂを有している。室外温度サーミスタ５９ａは、室外の温度を検知し、室外湿度センサ５９ｂは、室外の湿度を検知する。
【００４０】
（１−３）給気・加湿ユニット
給気・加湿ユニット６は、図３及び図４に示すように、主として、吸加湿ロータ６１、ヒータ６２、加湿ファン６３及び吸着用ファン６４を有している。
【００４１】
吸加湿ロータ６１は、概ね円形の形状を有するハニカム構造のセラミックロータであり、空気が容易に通過できる構造となっている。この吸加湿ロータ６１は、ロータ駆動モータ６１ａにより回転駆動される。また、吸加湿ロータ６１には、ゼオライト、シリカゲルあるいはアルミナ等の吸着剤が担持されている。このゼオライトの吸着剤は、接触する空気中の水分を吸着可能であると共に、加熱されることにより水分を離脱する性質を有している。
【００４２】
ヒータ６２は、給気・加湿ユニット６が加湿運転を行う時に、室外から取り込まれて吸加湿ロータ６１へ送られる空気を加熱する。
【００４３】
加湿ファン６３は、吸加湿ロータ６１の側方に配置されており、加湿ファンモータ６３ａにより駆動される。加湿ファン６３は、室外からの空気を導入するための給気口６０ａから吸加湿ロータ６１を経て室内へと到る空気の流れ（図３のＡ１）を生成し、室外からの空気を給気加湿ホース７ｃを介して室内機２における吸込空間ＳＰへと送る役割を担う。即ち、加湿ファン６３は、室内に給気空気及び加湿空気が供給されるような空気流を生成する。また、本実施形態に係る加湿ファン６３は、室内ファン２３と同様、設定された目標湿度やモードに応じた回転数で回転駆動するが、これについては「（１−５）制御部」で詳述する。
【００４４】
吸着用ファン６４は、吸着用ファンモータ６４ａにより回転駆動される。吸着用ファン６４は、吸着用空気吸入口６０ｂから吸い込まれた空気が吸着用空気吹出口６０ｃを経て室外へ排出されるように、空気の流れを生成する（図３のＡ２）。ここで、吸着用空気吸入口６０ｂは、吸加湿ロータ６１に水分を吸着させるために給気・加湿ユニット６外部から取り込まれる空気が通る開口であって、吸着用空気吹出口６０ｃは、吸加湿ロータ６１により水分が吸着された空気を室外に排出するための開口である。
【００４５】
このような給気・加湿ユニット６によると、加湿運転時には、ヒータ６２がオンし、給気口６０ａから取り込まれた空気はヒータ６２により熱せられ、吸加湿ロータ６１から離脱した水分を含んだ状態で給気加湿ホース７ｃへと送られる。また、加湿を伴わない給気換気運転時には、ヒータ６２はオフし、吸気口６０ａから取り込まれた空気はそのままの状態で給気加湿ホース７ｃへと送られる。
【００４６】
（１−４）リモートコントローラ
リモートコントローラ４は、図５に示すように、表示部４１、操作部４２及び通信部４３を有している。
【００４７】
表示部４１は、液晶ディスプレイで構成され、目標温度や目標湿度等を表示することができる。また、表示部４１には、目標温度や目標湿度の設定画面、通常加湿モード及びパワフル加湿モードの設定画面等が表示される。操作部４２は、主として、空気調和装置１が各種運転を開始及び停止するための運転指示ボタンｂ１、目標温度を設定するための温度設定ボタンｂ２、目標湿度を設定するための湿度設定ボタンｂ３を有している。更に、操作部４２は、冷暖房運転、加湿運転、及び給気換気運転を選択するためのボタン（図示せず）を有している。通信部４３は、操作部４２を介して空気調和装置１の利用者により設定された各種設定情報や運転指示等を、室内機２に送信する。
【００４８】
ここで、操作部４２上において通常加湿モード及びパワフル加湿モードが設定される手法について説明する。図６に示すように、本実施形態に係るリモートコントローラ４によると、目標湿度としては「４０％」「４５％」「５０％」の３パターンが設定可能となっているのに加え、「連続加湿」及び「パワフル加湿」が設定可能となっている。具体的には、現在の目標湿度が「４０％」である場合、空気調和装置１の利用者によって湿度設定ボタンｂ３のボタン上部ｂ３１が押される毎に、目標湿度が「４０％」から「４５％」、「５０％」の順に上げられていき、これに連動して表示部４１に表示される目標湿度の値が切り替わっていく。目標湿度が「５０％」の状態において更に湿度設定ボタンｂ３のボタン上部ｂ３１が押されると、表示部４１における表示は「連続加湿」に切り替えられ、空気調和装置１の加湿動作の内容自体も、目標湿度となるように加湿を行うための加湿動作から、目標湿度とは関係なく連続して加湿動作を行う連続加湿動作に切り替えられる。即ち、表示部４１に「４０％」〜「５０％」の目標湿度が表示されている場合及び「連続加湿」と表示されている場合には、通信部４３からは、表示されている目標湿度の値または連続加湿である旨の情報が加湿関連情報として空気調和装置１に送信されるため、空気調和装置１は、送られてきた該加湿関連情報に基づいて、通常加湿モードで加湿動作を行う。
【００４９】
また、表示部４１に「連続加湿」と表示されている状態において、更に湿度設定ボタンｂ３のボタン上部ｂ３１が押されると、表示部４１における表示は「パワフル加湿」に切り替えられ、空気調和装置１の加湿動作の内容自体も、連続加湿動作から、連続加湿時以上の加湿能力で加湿を行うパワフル加湿動作に切り換えられる。即ち、表示部４１に「パワフル加湿」と表示されている場合には、通信部４３からは、パワフル加湿である旨の情報が加湿関連情報として空気調和装置１に送信されることから、空気調和装置１は、パワフル加湿モードで加湿動作を行う。
【００５０】
逆に、空気調和装置１の利用者によって湿度設定ボタンｂ３のボタン下部ｂ３２が押される毎に、表示部４１の表示は「パワフル加湿」、「連続加湿」、「５０％」「４５％」「４０％」の順に切り替えられ、これに連動して空気調和装置１の加湿動作の内容自体も、パワフル加湿モードから通常加湿モードに切り替わる。更に、通常加湿モードにおいては、空気調和装置１の加湿動作の内容は、連続加湿動作から、目標湿度となるように加湿を行う加湿動作に切り替わっていく。
【００５１】
（１−５）制御部
制御部８は、ＣＰＵ及びメモリからなるマイクロコンピュータであって、室内機２と、室外機３における室外空調ユニット５及び給気・加湿ユニット６とに配置される電装品箱等に分かれて設けられている。制御部８は、図４に示すように、室内機２や室外空調ユニット５、給気・加湿ユニット６における各機器と接続されており、接続された各機器の制御を行う。
【００５２】
特に、本実施形態に係る制御部８は、室内機２の受信部２２から送られてきた加湿関連情報に基づいてモード判別を行い、判別した結果に基づいて室内ファン２３及び加湿ファン６３の駆動制御を行う。以下では、本実施形態の特徴である制御部８の制御内容別に、説明する。
【００５３】
〔モード判別〕
先ず、制御部８は、室内機２の受信部２２が受信した加湿関連情報に基づいて、通常加湿モードで加湿動作を行うのか、それともパワフル加湿モードで加湿動作を行うのかを判断する。具体的に、受信部２２が、加湿関連情報として目標湿度の値または連続加湿である旨の情報を受信した場合、制御部８は、通常加湿モードで加湿動作を行うと判断する。また、受信部２２が、パワフル加湿である旨の加湿関連情報を受信した場合、制御部８は、パワフル加湿モードで加湿動作を行うと判断する。
【００５４】
〔通常加湿モード時の加湿動作制御〕
制御部８は、通常加湿モードで加湿動作を行うと判断した場合であって、かつ受信部２２が受信した加湿関連情報が目標湿度の値である場合には、給気・加湿ユニット６が該目標湿度に基づいて加湿動作を行うように、給気・加湿ユニット６におけるヒータ６２、ロータ駆動モータ６１ａ、加湿ファンモータ６３ａ、及び吸着用ファンモータ６４ａを駆動させる。また、制御部８は、通常加湿モードで加湿動作を行うと判断した場合であって、かつ加湿関連情報が連続加湿である旨の情報である場合、給気・加湿ユニット６が連続加湿動作を行うように、給気・加湿ユニット６におけるヒータ６２、ロータ駆動モータ６１ａ、加湿ファンモータ６３ａ、及び吸着用ファンモータ６４ａを駆動させる。尚、本実施形態に係る連続加湿動作では、リモートコントローラ４を介して新たに目標湿度の設定がなされたり、加湿運転の停止指示がなされたりしない限り、目標湿度や加湿動作を行っている時間等に関係なく、連続的に加湿動作が行われる。
【００５５】
また、本実施形態に係る制御部８は、通常加湿モードでの加湿動作制御を行う際、加湿ファン６３だけではなく室内機２における室内ファン２３の駆動制御も行うべく、室内ファンモータ２３ａの回転数制御も行う。
【００５６】
ここで、制御部８が、通常加湿モードにおいて、加湿ファンモータ６３ａ及び室内ファンモータ２３ａの回転数をどのようにして決定するかについて、図７を用いて説明する。図７は、通常加湿モード及びパワフル加湿モードにおける室内ファン２３及び加湿ファン６３の各回転数を、室内ファン２３のファンタップ（即ち、室内ファン２３の風量タップ。以下、室内ファンタップと言う）毎に表したテーブルＴａ１である。本実施形態に係る室内ファンタップは、「しずか」「Ｌ」「ＬＭ」「Ｍ」「ＭＨ」「Ｈ以上」の、６段階設けられている。そして、室内ファンタップの各段階に対応するように、室内ファン２３及び加湿ファン６３それぞれについても６段階の回転数“ＲｎｏＳ〜ＲｎｏＨ”“ＨｎｏＳ〜ＨｎｏＨ”が定義されている。つまり、図７のテーブルＴａ１には、室内ファンタップ、通常加湿モードでの室内ファン回転数、パワフル加湿モードでの室内ファン回転数、通常加湿モードでの加湿ファン回転数、及びパワフル加湿モードでの加湿ファン回転数が、１レコードとして対応付けられており、該レコードが１つのテーブルＴａ１内に６つ含まれている。尚、図７のテーブルＴａ１は、制御部８の構成要素の１つであるメモリ（図示せず）に格納されている。
【００５７】
具体的には、制御部８は、通常加湿モードであって、かつ加湿関連情報が目標湿度の値である場合には、設定された目標湿度及び現在の室内の湿度に基づいて室内ファンタップを６段階の中から選択し、上記図７のテーブルＴａ１内から選択した室内ファンタップに対応する“通常加湿モードでの室内ファン回転数”“通常加湿モードでの加湿ファン回転数”を抽出することで、室内ファン２３及び加湿ファン６３それぞれの回転数を決定する。尚、以下では、説明の便宜上、通常加湿モードでの室内ファン２３の回転数を、第１室内側回転数、通常加湿モードでの加湿ファン６３の回転数を、第１加湿側回転数という。例えば、制御部８は、設定された目標湿度と現在の湿度との差により室内ファンタップ“ＭＨ以上”を選択した場合には、図７のテーブルＴａ１に基づいて通常加湿モードにおける室内ファン２３の回転数“ＲｎｏＭＨ”ｒｐｍを第１室内側回転数として決定すると共に、加湿ファン６３の回転数“ＨｎｏＭＨ”ｒｐｍを第１加湿側回転数と決定する。その後、制御部８は、室内ファン２３が第１室内側回転数“ＲｎｏＭＨ”ｒｐｍで回転するように室内ファンモータ２３ａを駆動させ、加湿ファン６３が第１加湿側回転数“ＨｎｏＭＨ”ｒｐｍで回転するように、加湿ファンモータ６３ａを駆動させる。
【００５８】
また、制御部８は、通常加湿モードであって、かつ加湿関連情報が連続加湿である旨の情報である場合、６段階の室内ファンタップの中からデフォルト設定として室内ファンタップ“Ｈ以上”を選択する。そして、制御部８は、図７のテーブルＴａ１内から室内ファンタップ“Ｈ以上”に対応する“通常加湿モードでの室内ファン回転数ＲｎｏＨ”“通常加湿モードでの加湿ファン回転数ＨｎｏＨ”を抽出することで、室内ファン２３及び加湿ファン６３それぞれの第１室内側回転数及び第１加湿側回転数を決定し、決定した第１室内側回転数及び第１加湿側回転数に基づいて各ファンモータ２３ａ，６３ａの回転数制御を行う。
【００５９】
〔パワフル加湿モード時の加湿動作制御〕
制御部８は、パワフル加湿モードで加湿動作を行うと判断した場合、通常加湿モード時よりも多い調和空気及び加湿空気が室内に供給されるように、室内ファン２３及び加湿ファン６３の駆動制御を行う。
【００６０】
具体的には、制御部８は、パワフル加湿モードの場合、図７のテーブルＴａ１に基づいて、パワフル加湿モードの設定がされる前に設定されていた通常加湿モードでの室内ファン２３の第１室内側回転数に第１所定回転数“ｐｒ１”ｒｐｍを加え、加えた結果（以下、第２室内側回転数という）で室内ファン２３が回転するように、室内ファンモータ２３ａの回転数制御を行う。更に、制御部８は、図７のテーブルＴａ１に基づいて、パワフル加湿モードの設定がされる前に設定されていた通常加湿モードでの加湿ファン６３の第１加湿側回転数に第２所定回転数（具体的には、“ｐｒ２ｓ〜ｐｒ２ｈ”ｒｐｍのいずれか）を加え、加えた結果（以下、第２加湿側回転数という）で加湿ファン６３が回転するように、加湿ファンモータ６３ａの回転数制御を行う。例えば、室内ファン２３及び加湿ファン６３それぞれが、通常加湿モードにおいて室内ファンタップ“Ｍ”に相当する“ＲｎｏＭ”ｒｐｍ、“ＨｎｏＭ”ｒｐｍの回転数で回転していたとする。この状態で、「パワフル加湿」が設定された場合には、制御部８は、室内ファン２３の回転数を、それまでの回転数“ＲｎｏＭ”ｒｐｍに第１所定回転数“ｐｒ１”ｒｐｍを加えた第２室内側回転数“ＲｎｏＭ＋ｐｒ１”ｒｐｍに上昇させる。また、制御部８は、加湿ファン６３の回転数を、それまでの回転数“ＨｎｏＭ”ｒｐｍに第２所定回転数“ｐｒ２ｍ”ｒｐｍを加えた第２加湿側回転数“ＨｎｏＭ＋ｐｒ２ｍ”ｒｐｍに上昇させる。
【００６１】
つまり、本実施形態に係る制御部８は、パワフル加湿モード時、加湿能力を向上させるべく加湿ファン６３の回転数のみを上昇させるのではなく、室内ファン２３の回転数も上昇させる。これにより、パワフル加湿モードにおいて、加湿ファン６３が比較的高い回転数で回転したことにより加湿ファン６３から発生する音が大きくなったとしても、室内ファン２３の回転数も高くなっているため、加湿ファン６３の回転により発生した音は、室内ファン２３の回転により発生した音でマスクされるようになる。
【００６２】
尚、室内ファン２３の回転数の上昇幅である第１所定回転数“ｐｒ１”ｒｐｍの値は、図７からも明らかなように、パワフル加湿モードが設定される前に設定されていた通常加湿モードでの第１室内側回転数の値に関係なく、常に一定値となっている。言い換えると、第１所定回転数“ｐｒ１”ｒｐｍの値は、室内ファンタップの段階に関係なく、一定値である。従って、本実施形態では、通常加湿モードにおいて室内ファン２３がどのような回転数で回転していたとしてもパワフル加湿モードとなれば室内ファン２３の回転数がそれまでの回転数に関係なく最大限に引き上げられるのではなく、パワフル加湿モードとなればそれまでの室内ファン２３の回転数が第１所定回転数だけ上昇するのである。ここで、室内ファン２３の通常加湿モードでの回転数“ＲｎｏＳ”〜“ＲｎｏＨ”の具体的な値としては、“３０００”ｒｐｍ〜“４５００”ｒｐｍが挙げられ、第１所定回転数“ｐｒ１”の具体的な値としては、“４５”ｒｐｍが挙げられる。
【００６３】
一方、加湿ファン６３の回転数の上昇幅である第２所定回転数“ｐｒ２ｓ〜ｐｒ２ｈ”ｒｐｍの値は、図７からも明らかなように、常に一定値である第１所定回転数“ｐｒ１”とは違い、室内ファンタップの段階によって異なっている。つまり、第２所定回転数“ｐｒ２ｓ〜ｐｒ２ｈ”ｒｐｍの値は、室内ファンタップに基づいて決定されている。従って、パワフル加湿モードとなれば、加湿ファン６３の回転数は、加湿ファン６３の最大限の回転数に引き上げられるわけではなく、パワフル加湿モード設定前に通常加湿モードが設定されていた時の第１加湿側回転数の値から、室内ファンタップに応じた値だけ高くなる。ここで、加湿ファン６３の通常加湿モードでの回転数“ＨｎｏＳ”〜“ＨｎｏＨ”の具体的な値としては、“３５００”ｒｐｍ〜“５０００”ｒｐｍが挙げられ、第２所定回転数“ｐｒ２ｓ〜ｐｒ２ｈ”の具体的な値としては、“３５〜５０”ｒｐｍが挙げられる。
【００６４】
更に、本実施形態に係る制御部８は、パワフル加湿モードでの加湿動作制御を行う場合、室内ファン２３が第２室内側回転数で回転するように室内ファン２３の駆動制御を行った後、加湿ファン６３が第２加湿側回転数で回転するように、加湿ファン６３の駆動制御を行う。具体的には、リモートコントローラ４を介して利用者により「パワフル加湿」が設定されると、制御部８は、先ずは室内ファン２３の回転数を上昇させる。そして、室内ファン２３が第２室内側回転数で回転するようになった後、制御部８は、加湿ファン６３の回転数を上昇させる。つまり、本実施形態に係る制御部８は、室内ファン２３及び加湿ファン６３の回転数を同時に上昇させるのではなく、室内ファン２３の回転数上昇後に加湿ファン６３の回転数を上昇させる。これにより、加湿ファン６３の回転により生じた音は、確実に室内ファン２３の回転により生じた音の中に紛れ込むようになる。
【００６５】
（２）動作
次に、本実施形態の空気調和装置１が行う加湿動作について、図８を用いて説明する。図８は、空気調和装置１が行う加湿動作の流れを示すフローチャートである。
【００６６】
ステップＳ１〜Ｓ２：空気調和装置１の利用者により、リモートコントローラ４の運転指示ボタンｂ１が押され、更に図示しない加湿運転を選択するためのボタンが押されたとする。すると、受信部２２は、加湿運転の開始指示を受信し（Ｓ１のＹｅｓ）、空気調和装置１は、先ずは通常加湿モードでの加湿運転を開始する（Ｓ２）。より具体的には、給気・加湿ユニット６は、前に加湿運転を行った時に設定されていた目標湿度に基づいて、加湿動作を行う。
【００６７】
ステップＳ３〜Ｓ４：給気・加湿ユニット６がステップＳ２の加湿動作を行っている状態で、リモートコントローラ４の湿度設定ボタンｂ３が押され、設定されていた目標湿度の値が変更された場合（Ｓ３のＹｅｓ）、制御部８は、通常加湿モードと判断し、変更後の目標湿度に基づいて、加湿動作制御を行う。即ち、制御部８は、変更された目標湿度の値及び現在の湿度に基づいて室内ファンタップの段階を選択し、図７のテーブルＴａ１に基づいて室内ファン２３及び加湿ファン６３の各回転数（即ち、第１室内側回転数“ＲｎｏＳ〜ＲｎｏＨ”及び第１加湿側回転数“ＨｎｏＳ〜ＨｎｏＨ”）を決定する。そして、制御部８は、決定した各回転数に基づいて各ファン２３，６３の駆動制御を行う。これにより、給気・加湿ユニット６は、変更後の目標湿度に基づいて加湿動作を行うようになる（Ｓ４）。
【００６８】
ステップＳ５〜Ｓ６：給気・加湿ユニット６がステップＳ２の加湿動作を行っている状態で、リモートコントローラ４の湿度設定ボタンｂ３が押され、「連続加湿」に設定変更された場合（Ｓ５のＹｅｓ）、制御部８は、通常加湿モードと判断し、連続加湿制御を行う。即ち、制御部８は、現在の湿度に基づいて室内ファンタップの段階“Ｈ以上”を選択し、図７のテーブルＴａ１に基づいて室内ファン２３及び加湿ファン６３の各回転数（具体的には、第１室内側回転数“ＲｎｏＨ”及び第１加湿側回転数“ＨｎｏＨ”）を決定する。そして、制御部８は、決定した各回転数に基づいて各ファン２３，６３が連続加湿を行うように駆動制御する。これにより、給気・加湿ユニット６は、連続加湿度動作を行うようになる（Ｓ６）。
【００６９】
ステップＳ７〜Ｓ９：給気・加湿ユニット６がステップＳ２の加湿動作を行っている状態で、リモートコントローラ４の湿度設定ボタンｂ３が押され、「パワフル加湿」に設定変更された場合（Ｓ７のＹｅｓ）、制御部８は、パワフル加湿モードでの加湿制御を行う。即ち、制御部８は、室内ファン２３の回転数をそれまでの回転数（即ち、第１室内側回転数“ＲｎｏＳ〜ＲｎｏＨ”）から第１所定回転数“ｐｒ１”ｒｐｍだけ上昇させた後に（Ｓ８）、加湿ファン６３の回転数をそれまでの回転数（即ち、第１加湿側回転数“ＨｎｏＳ〜ＨｎｏＨ”）から第２所定回転数“ｐｒ２ｓ〜ｐｒ２ｈ”ｒｐｍのいずれかだけ上昇させる（Ｓ９）。これにより、室内ファン２３が第２室内側回転数で回転するようになった後、加湿ファン６３が第２加湿側回転数で回転するようになる。
【００７０】
尚、ステップＳ３，Ｓ５，Ｓ７のいずれにおいても加湿動作に関する変更がない場合（即ち、受信部２２が新たな加湿関連情報を受信しない場合）には（Ｓ７のＮｏ）、制御部８は、ステップＳ２の加湿動作を継続させる（Ｓ２）。
【００７１】
ステップＳ１０：ステップＳ４，Ｓ６，Ｓ９における加湿動作の後、更に加湿動作に関する変更があった場合には（Ｓ１０のＹｅｓ）、制御部８は、ステップＳ３以降の動作を繰り返す。
【００７２】
ステップＳ１１：ステップＳ１０において、更なる加湿動作に関する変更がない状態で（Ｓ１０のＮｏ）、リモートコントローラ４の運転指示ボタンｂ１が押された場合、受信部２２は、加湿運転の停止指示を受信し（Ｓ１１のＹｅｓ）、空気調和装置１は、加湿動作を停止する。空気調和装置１は、受信部２２が加湿運転の停止指示を受信するまで（Ｓ１１のＮｏ）、ステップＳ１０以降の動作を繰り返す。
【００７３】
（３）効果
（Ａ）
本実施形態に係る空気調和装置１によると、空気調和装置１の利用者は、給気・加湿ユニット６が室内の目標湿度に基づいて加湿動作を行うかまたは目標湿度に関係なく連続して加湿動作を行うための通常加湿モード、及び給気・加湿ユニット６の加湿能力を通常加湿モードに比して向上させるためのパワフル加湿モード、のいずれかを設定することができる。そして、パワフル加湿モードが設定された時には、室内ファン２３により室内に供給される調和空気の量と加湿ファン６３により室内に供給される加湿空気の量とが、共に通常加湿モード時に比して多くなる。つまり、パワフル加湿モード時には、加湿空気だけではなく調和空気の量も多くなるため、加湿ファン６３だけではなく室内ファン２３の回転数も高くなる。従って、加湿ファン６３の回転により発生した音を室内ファン２３の回転により発生した音の中に紛れ込ませることができ、快適な空調空間を、空気調和装置１の利用者に提供することができる。
【００７４】
（Ｂ）
また、本実施形態に係る空気調和装置１によると、パワフル加湿モード時には、室内ファン２３及び加湿ファン６３の回転数が共に通常加湿モード時に比して所定回転数高くなるため、加湿ファン６３の回転により発生した音を、室内ファン２３の回転により発生した音でマスクすることができる。
【００７５】
（Ｃ）
具体的には、パワフル加湿モードとなれば、加湿ファン６３の回転数は、パワフル加湿モード設定前に通常加湿モードが設定されていた時の第１加湿側回転数の値から、室内ファンタップに基づいて決定された値（具体的には、第２所定回転数“ｐｒ２ｓ〜ｐｒ２ｈ”ｒｐｍのいずれか）だけ高くなる。
【００７６】
（Ｄ）
また、本実施形態に係る空気調和装置によると、パワフル加湿モード時に室内ファン２３の回転数に足される第１所定回転数“ｐｒ１”ｒｐｍの値は、パワフル加湿モード設定前に通常加湿モードが設定されていた時の第１室内側回転数の値に関係なく、常に一定である。そのため、通常加湿モード時に、室内ファン２３がどのような回転数で回転していたとしても、パワフル加湿モードが設定されれば、室内ファン２３の回転数は常に一定値だけ高くなる。
【００７７】
（Ｅ）
また、本実施形態に係る空気調和装置１によると、パワフル加湿モードが設定された場合、室内ファン２３の回転数が第１所定回転数“ｐｒ１”ｒｐｍ上げられた後に、加湿ファン６３の回転数が第２所定回転数“ｐｒ２ｓ〜ｐｒ２ｈ”ｒｐｍ上げられる。従って、加湿ファン６３の回転により発生した音を、より確実に室内ファン２３の回転による音でマスクすることができる。
【００７８】
（Ｆ）
ところで、一般的に、吸込空間ＳＰが室内機ケーシング２１の下向きに開口しているような天井設置型の空気調和装置では、加湿ファン６３の回転により発生した音が、吸込開口２１ｂを介して室内機２の下方に聞こえやすくなってしまう。しかし、本実施形態に係る空気調和装置１では、加湿ファン６３の回転により発生する音は、室内ファン２３の回転により発生する音でマスクされるため、天井設置型の空気調和装置１であっても、加湿ファン６３の回転により発生する音が聞こえやすくなるのを抑えることができる。
【００７９】
（Ｇ）
また、給気・加湿ユニット６が室外に設けられていると、天井に設置された室内機ケーシング２１と給気・加湿ユニット６とを繋ぐ給気加湿ホース７ｃは、比較的長く設けられる傾向にある。給気加湿ホース７ｃの長さが長い程、給気・加湿ユニット６における加湿ファン６３は、加湿空気を室内機ケーシング２１へと送る際には高い回転数で回転しなければならなくなり、その分加湿ファン６３の回転により発生する音も大きくなってしまう。しかし、この空気調和装置１によると、加湿ファン６３が高い回転数で回転しても、室内ファン２３の回転数も上がるため、加湿ファン６３の回転により発生する音は室内ファン２３の回転により発生する音でマスクされる。従って、加湿ファン６３の回転により発生する音を、より確実に聞こえにくくすることができる。
【００８０】
＜その他の実施形態＞
（ａ）
上記実施形態では、図１に示すように、空気調和装置１の室内機２がいわゆるシングルフロータイプである場合について説明した。しかし、本発明に係る空気調和装置の室内機は、シングルフロータイプ以外のタイプの室内機であってもよい。具体的に、シングルフロータイプ以外の室内機のタイプとしては、天井に設置され、多方向に空気を供給することが可能な多方向吹き出しタイプの室内機や、壁掛けタイプの室内機、床置きタイプの室内機等が挙げられる。
【００８１】
特に、図９に示すように、本発明の空気調和装置の室内機は、他方向吹き出しタイプの天井設置型の室内機１０２に適用することができる。図９の室内機１０２では、吸込開口１２１ｂが、格子状のパネル１２９によって覆われている。即ち、図９の室内機１０２では、上記実施形態に係る室内機２のように吸込開口１２１ｂがフラットパネル１２９によって完全に遮蔽された状態となることがない。このように、吸込開口１２１ｂが完全に遮蔽されない構造を有する室内機１０２においても、本発明によれば加湿ファンの回転により発生する音は室内ファンの回転により発生する音でマスクされるため、加湿ファンの回転により発生する音は室内に漏れにくくなる。
【００８２】
（ｂ）
上記実施形態では、図１に示すように、給気・加湿ユニット６が室外機３内に設けられている場合について説明した。しかし、加湿を行うための機器は、室外機３内に設けられるのではなく、室内機２の内部や、室内機２とは別に室内の天井等に設置されていてもよい。
【００８３】
（ｃ）
上記実施形態では、図６に示すように、目標湿度が５０％である時にリモートコントローラ４における湿度設定ボタンｂ３のボタン上部ｂ３１が押されれば、「連続加湿」と設定され、更にボタン上部ｂ３１が押されれば、「パワフル加湿」と設定される場合について説明した。しかし、リモートコントローラ４上には、パワフル加湿モード設定用のボタンや連続加湿設定用のボタンが湿度設定ボタンｂ３とは別に設けられていてもよい。
【００８４】
また、上記実施形態では、図６に示すように、目標湿度が、「４０％」「４５％」「５０％」のいずれかに設定される場合について説明した。しかし、リモートコントローラは、例えば６０％等、上記以外の数値に目標湿度を設定可能な構成を有していても良い。
【００８５】
（ｄ）
上記実施形態では、図７のテーブルＴａ１における室内ファンタップの選択方法として、通常加湿モードかつ目標湿度に基づく加湿動作の場合には、設定された目標湿度及び現在の湿度に基づいて室内ファンタップが選択されると説明した。しかし、室内ファンタップは、更に給気加湿ホース７ｃの長さに基づいて選択されてもよい。これにより、給気加湿ホース７ｃの影響を考慮した室内ファンタップが選択されるため、室内ファン２３及び加湿ファン６３は、実際の給気加湿ホース７ｃの長さに応じた第１室内側回転数及び第１加湿側回転数で回転するようになる。
【００８６】
（ｅ）
上記実施形態では、図７のテーブルＴａ１に示すように、室内ファンタップが６段階設けられている場合について説明した。しかし、室内ファンタップは、６段階以上、または６段階以下であってもよい。
【００８７】
（ｆ）
上記実施形態では、通常加湿モードにおいて連続加湿動作が行われる際、図７のテーブルＴａ１から室内ファンタップ“Ｈ以上”がデフォルトとして選択されると説明した。しかし、連続加湿動作時に選択される室内ファンタップは、“Ｈ以上”でなくともよい。
【００８８】
（ｇ）
上記実施形態では、図７のテーブルＴａ１に示すように、パワフル加湿モード時、加湿ファン６３の回転数は、室内ファンタップにより決定される第２所定回転数“ｐｒ２ｓ〜ｐ２ｈ”ｒｐｍ上昇すると説明した。しかし、加湿ファン６３の回転数の上昇幅である第２所定回転数は、室内ファン２３の回転数と同様、室内ファンタップの値に関係なく常に一定値であってもよい。また、この場合、第１所定回転数と第２所定回転数とは、互いに異なった値でもよく、同じ値であってもよい。
【００８９】
（ｈ）
上記実施形態では、図８のステップＳ８及びＳ９に示すように、リモートコントローラ４を介して「パワフル加湿」が設定された場合、制御部８は、先ずは室内ファン２３の回転数を第１所定回転数“ｐｒ１”ｒｐｍ上昇させ、その後加湿ファン６３の回転数を第２所定回転数“ｐｒ２ｓ〜ｐｒ２ｈ”ｒｐｍ上昇させると説明した。しかし、制御部８が室内ファン２３の回転数が上昇させる動作と加湿ファン６３の回転数を上昇させる動作とは、同時に行われても良い。
【産業上の利用可能性】
【００９０】
本発明に係る空気調和装置は、加湿ファンの回転により発生した音を室内ファンの回転により発生した音の中に紛れ込ませることができ、快適な空調空間を、空気調和装置の利用者に提供することができるという効果を有する。従って、本発明に係る空気調和装置は、加湿を行うための加湿部が室外に設けられているように、室内機と加湿部との距離が比較的離れている空気調和装置に適用することができる。特に、本発明に係る空気調和装置は、室内機が天井に設置されているような天井設置型の空気調和装置に適用することができる。
【図面の簡単な説明】
【００９１】
【図１】本実施形態に係る空気調和装置の外観図。
【図２】本実施形態に係る室内機の内部の構造を模式的に示す図。
【図３】本実施形態に係る冷媒回路及び給気・加湿ユニットの構成と、空気の流れとを示す図。
【図４】本実施形態に係る空気調和装置の制御部及び制御部の周辺の機器との接続を模式的に示す図。
【図５】本実施形態に係るリモートコントローラの外観図。
【図６】通常加湿モード及びパワフル加湿モードの設定手法を説明するための図。
【図７】通常加湿モード及びパワフル加湿モードにおける室内ファン及び加湿ファンの回転数を、室内ファンタップ毎に表しているテーブル。
【図８】本実施形態に係る空気調和装置が行う加湿動作の流れを示すフローチャート。
【図９】その他の実施形態（ａ）に係る空気調和装置の室内機の外観図。
【符号の説明】
【００９２】
１  空気調和装置
２  室内機
３  室外機
４  リモートコントローラ
５  室外空調ユニット
６  給気・加湿ユニット
７ｃ  給気加湿ホース
８  制御部
２１  室内機ケーシング
２１ａ  室内機ケーシングの下面
２１ｂ  吸込開口
２２  受信部
２３  室内ファン
２３ａ  室内ファンモータ
２４  室内熱交換器
６３  加湿ファン
６３ａ  加湿ファンモータ
ＳＰ  吸込空間
【図１】
2010007999.tif 000003
【図２】
2010007999.tif 000004
【図３】
2010007999.tif 000005
【図４】
2010007999.tif 000006
【図５】
2010007999.tif 000007
【図６】
2010007999.tif 000008
【図７】
2010007999.tif 000009
【図８】
2010007999.tif 000010
【図９】
2010007999.tif 000011